(57)【特許請求の範囲】
【請求項１】
外枠内に、横流ファンと、前記横流ファンを回転させるモータと、前記横流ファンからの流れを導く風路面と、風向風速制御装置とを備え、前記外枠の上面に室内の空気を吸い込む吸込口と、前記吸込口にフィルターを設け、前記外枠の正面に前記室内の空気を吸い込んだ空気を吹き出す前記風向風速制御装置を備えた吹出口を設け、前記外枠内の前記吹出口の付近に静電霧化装置を設け、吹き出された風を洗濯物に当てることで、洗濯物乾燥を行い、送風と同時に前記静電霧化装置からマイナスイオンを散布し、洗濯物に吹き当てるものであって、前記静電霧化装置を前記横流ファン中央部の強い流れに位置する前記吹出口の中央に配置することを特徴とする送風装置。
【請求項２】
静電霧化装置を複数配置することを特徴とする請求項１に記載の送風装置。
【請求項３】
静電霧化装置はマイナスイオンを吐出する吐出穴を備え、前記吐出穴が、長い円筒部の先端に位置することを特徴とする請求項１または２に記載の送風装置。
【請求項４】
吐出穴が円筒部の側面に備えられ、吐出穴に容易に触れることができることを特徴とする請求項３に記載の送風装置。
【請求項５】
静電霧化装置はマイナスイオンを吐出する吐出穴を備え、前記吐出穴の開口方向が送風方向と同じことを特徴とする請求項１〜３のいずれかに記載の送風装置。
【請求項６】
風向風速制御装置を閉じた際、横流ファンの回転と同時に、送風装置内部にマイナスイオンを散布させることを特徴とする請求項１〜５のいずれかに記載の送風装置。
【発明の詳細な説明】
【技術分野】
【０００１】
本発明は、洗濯物等を乾燥させることができる送風装置に関する。
【背景技術】
【０００２】
従来、この種の送風装置は、排気口を有する本体ケースと、室内の空気を吸い込むための吸込口と、吸い込んだ空気を室内にもどす吹出口とを有する本体パネルとを備えて箱状に形成され、本体ケースの内部には、吸込口から空気を吸引して送風するための送風手段と、送風ファンからの空気の送風方向を排気口や吹出口に切り換えるためのダンパーと、送風ファンが吸い込んだ空気を暖める加熱手段とを備えたものが知られている。（例えば、特許文献１参照）。また、洗濯物を乾燥させる場合、洗濯物に対して加熱、送風を行うことにより、より短時間で洗濯物が乾燥する。しかしその際、熱源を用いることで多量のエネルギーを消費することが問題になっている。屋内で洗濯物を乾燥させる家庭では、例えば朝に洗濯物を干して出勤し夕方まで放置しておく、あるいは夜に洗濯物を干して就寝し朝まで放置しておくといったように、洗濯物が長時間放置される場合が多い。この場合必ずしも短時間で洗濯物を乾燥させる必要はなく、むしろある程度の時間をかけてもよいので省エネルギーに洗濯物を乾燥させたいというニーズがある。
【０００３】
以下、従来の送風装置について図５を参照しながら説明する。
【０００４】
図５に示すように、本体は、本体ケース１０１と、吸込口１０２と吹出口１０３とを有する本体パネル１０４とにより箱状に形成される。本体ケース１０１は、側面に排気口１０５を有し、内部に送風手段としての送風機１０７と、加熱手段としてのヒーター１０９と、送風機１０７が送風する空気の風路を切り換えるダンパー１１０を備える。本体ケース１０１には、さらにダンパー１１０の動作を制御する制御手段（図示せず）を備える。
【０００５】
従来の送風装置を室内の天井面１１３に設置して乾燥運転を行うと、送風機１０７が運転され、室内の空気が吸込口１０２から吸引される。送風機１０７により吸引送風される空気は、ダンパー１１０によって仕切られた吹出口１０３と連通する風路において、ヒーター１０９によって暖められ、この暖められた空気は吹出口１０３から室内へと戻される。またダンパー１１０は吹出口１０３と排気口１０５に同時に送風機１０７から供給される位置に開いており、吹出口１０３と排気口１０５より空気を送風することとなる。そして暖められた空気の循環を繰り返すことにより、室内につりさげた洗濯物等を乾燥することができる。
【先行技術文献】
【特許文献】
【０００６】
【特許文献１】特開平１０−３２８４９４号公報
【発明の概要】
【発明が解決しようとする課題】
【０００７】
特許文献１に例示されるような従来の送風装置では、洗濯物を乾燥させようとした場合、送風による乾燥時に室内の菌、匂いが洗濯物に付着することで乾燥後の洗濯物から部屋干し臭がするという課題がある。
【０００８】
本発明は、このような従来の課題を解決するものであり、省エネで洗濯物乾燥を行い、かつ、部屋干し臭を抑制する洗濯物乾燥ができる送風装置を提供することを目的とする。
【課題を解決するための手段】
【０００９】
外枠内に、横流ファンと、前記横流ファンを回転させるモータと、前記横流ファンからの流れを導く風路面と、風向風速制御装置とを備え、吸込口にフィルターを設け、前記外枠の正面に前記室内の空気を吸い込んだ空気を吹き出す前記風向風速制御装置を備えた吹出口を設け、前記外枠内の前記吹出口の付近に静電霧化装置を設け、吹き出された風を洗濯物に当てることで、洗濯物乾燥を行う送風装置であって、送風と同時に前記静電霧化装置からマイナスイオンを散布し、洗濯物に吹き当てることを特徴としたものであり、これにより所期の目的を達成するものである。
【発明の効果】
【００１０】
本発明によれば、送風と同時にマイナスイオンを洗濯物に当てることにより、洗濯物乾燥と同時に除菌、脱臭を行い、部屋干し臭を抑制するという効果を得ることができる。
【図面の簡単な説明】
【００１１】
【図１】本発明の実施の形態１の送風装置を示す図（（ａ）簡易側断面図、（ｂ）内部斜視図）
【図２】同送風装置の静電霧化装置を示す側断面図
【図３】本発明の実施の形態２の送風装置を示す正面図
【図４】本発明の実施の形態３の送風装置を示す側断面図
【図５】従来の送風装置を示す断面図
【発明を実施するための形態】
【００１２】
本発明の送風装置は、外枠内に、横流ファンと、前記横流ファンを回転させるモータと、前記横流ファンからの流れを導く風路面と、風向風速制御装置とを備え、前記外枠の上面に室内の空気を吸い込む吸込口と、吸込口にフィルターを設け、前記外枠の正面に前記室内の空気を吸い込んだ空気を吹き出す前記風向風速制御装置を備えた吹出口を設け、前記外枠内の前記吹出口の付近に静電霧化装置を設け、吹き出された風を洗濯物に当てることで、洗濯物乾燥を行う送風装置であって、送風と同時に前記静電霧化装置からマイナスイオンを散布し、洗濯物に吹き当てるという構成を有する。これにより、送風と同時にマイナスイオンを洗濯物に当てることにより、洗濯物乾燥と同時に除菌、脱臭を行うことで、部屋干し臭を抑制することができるという効果を奏する。
【００１３】
また、静電霧化装置からマイナスイオンを散布し、室内に充満させるという構成にしてもよい。これにより、マイナスイオンを室内に充満させることとなるので、室内空間の除菌、脱臭を行うことができるという効果を奏する。
【００１４】
また、静電霧化装置を吹出口の中央に配置するという構成にしてもよい。これにより、横流ファン中央部の強い流れにマイナスイオンを乗せることとなるので、遠方までの広範囲にマイナスイオンを散布することができ、洗濯物乾燥時の除菌、脱臭や広範囲空間の除菌、脱臭を行うことができるという効果を奏する。
【００１５】
また、静電霧化装置を複数配置するという構成にしてもよい。これにより、より多くのマイナスイオンを散布することとなるので、より強い除菌、脱臭の効果を得ることができるという効果を奏する。
【００１６】
また、静電霧化装置を吹出口の両端に備えるという構成にしてもよい。これにより、マイナスイオンを吹出口両端から散布することで、風の端領域からマイナスイオンを散布することとなるので、広い範囲にマイナスイオンを散布でき、洗濯物乾燥時の除菌、脱臭や広範囲空間の除菌、脱臭を行うことができるという効果を奏する。
【００１７】
また、吐出穴が、長い筒状の先端に位置するという構成にしてもよい。これにより、より前方からマイナスイオンを吐出することとなるので、多くのマイナスイオンを散布させることができ、より強い除菌、脱臭の効果を得ることができるという効果を奏する。
【００１８】
また、吐出穴が円筒部の側面に備えられ、吐出穴に容易に触れることができるという構成にしてもよい。これにより、内部に搭載されている電子機器に触れることが無く、また、吐出穴に容易に触れることができることとなるので、安全性、吐出穴付近の掃除等のメンテナンス性が良いという効果を奏する。
【００１９】
また、静電霧化装置はマイナスイオンを吐出する吐出穴を備え、前記吐出穴の開口方向が送風方向と同じという構成にしてもよい。これにより、スムーズに風にマイナスイオンを乗せることができることとなるので、広い範囲にマイナスイオンを散布でき、洗濯物乾燥時の除菌、脱臭や広範囲空間の除菌、脱臭を行うことができるという効果を奏する。
【００２０】
また、風向風速制御装置を閉じた際、横流ファンの回転と同時に、送風装置内部にマイナスイオンを散布させるという構成にしてもよい。これにより、風向風速制御装置を閉じ、さらに横流ファンにより送風装置内部の空気を撹拌しつつ、本体内部にマイナスイオンを散布することで、送風装置内部にマイナスイオンが充満することとなるので、送風装置内部での菌やカビ等の繁殖を防ぐことができるという効果を奏する。
【００２１】
以下、本発明の実施の形態について、図面を参照しながら説明する。
【００２２】
（実施の形態１）
図１（ａ）は、実施の形態１の送風装置１の簡易側断面図、図１（ｂ）は同送風装置の内部斜視図を示している。
【００２３】
図において、外枠２内に、横流ファン３と、横流ファン３を回転させるモータ４と、風向風速制御装置５とを備えた送風装置１であって、外枠２の上面に室内の空気を吸い込む吸込口６と、外枠２の前面に室内の空気を吸い込んだ空気を吹き出す風向風速制御装置５を備えた吹出口７を設け、風向風速制御装置５により室内の洗濯物８に吸い込んだ空気を吹き当てる構成とする。また、吸込口６にフィルター１０を設け、外枠２内の吹出口７の付近に静電霧化装置１１を設ける構成とする。
【００２４】
また、静電霧化装置１１からマイナスイオンを散布し、洗濯物８に吹き当てたり、室内に充満させることができる構成とする。
【００２５】
また、静電霧化装置１１を吹出口の中央に配置する構成となっている。
【００２６】
また、図２に静電霧化装置１１の側断面図を示す。吐出穴１２が、長い円筒部１３の先端に位置する構成となっている。図において、マイナスイオン放出部１４からマイナスイオンが散布され、長い円筒部１３を通り吐出穴１２から放出される。
【００２７】
また、吐出穴１２が円筒部１３の側面に備えられ、吐出穴１２に容易に触れることができる構成となっている。
【００２８】
上記構成により、モータ４で横流ファン３を回転させることにより、外枠２の背面の吸込口６からフィルター１０を通して室内の空気を吸い込み、吸い込んだ空気を外枠２の底面すなわち室内側に設けた風向風速制御装置５を備えた吹出口７から室内へ吹き出し、風向風速制御装置５により室内の洗濯物８に吸い込んだ空気を吹き当てる。このとき、洗濯物８表面の水分の剥離や、洗濯物８周辺の湿気を吹き飛ばす効果により、洗濯物８を乾燥させることができる。
【００２９】
このように本発明の実施の形態１の送風装置１によれば、送風と同時にマイナスイオンを洗濯物８に当てることにより、洗濯物乾燥と同時に除菌、脱臭を行うことで、部屋干し臭を抑制することができることとなる。
【００３０】
また、マイナスイオンを室内に充満させることにより、室内空間の除菌、脱臭を行うことができることとなる。
【００３１】
また、横流ファン３中央部にマイナスイオンを乗せることができるため、広範囲に均一にマイナスイオンを散布することができ、洗濯物乾燥時の除菌、脱臭や広範囲空間の除菌、脱臭を行うことができることとなる。
【００３２】
また、吐出穴１２が、長い円筒部１３の先端に位置するため、より前方からマイナスイオンを吐出することとなるため、多くのマイナスイオンを散布させることができ、より強い除菌、脱臭の効果を得ることができる。
【００３３】
また、静電霧化装置１１内部に搭載されているマイナスイオン放出部１４等の電子機器類に触れることが無く、また、吐出穴１２に容易に触れることができるため、安全性が高く、吐出穴１２付近の掃除等のメンテナンス性が良いこととなる。
【００３４】
なお、マイナスイオンはＯＨラジカルを水で包んだ粒子とすることが更に良い。
【００３５】
（実施の形態２）
図３において、図１および図２と同様の構成要素については同一の符号を付し、その詳細な説明は省略する。
【００３６】
図３は実施の形態２の送風装置１の正面図を示している。図に示すように、静電霧化装置１１を複数配置する構成となっている。なお、図中の送風装置１は静電霧化装置１１の位置を確認できるように風向風速制御装置５を取り外した状態の図である。
【００３７】
また、静電霧化装置１１を吹出口の両端、合計２個備えている構成となっている。
【００３８】
また、静電霧化装置１１はマイナスイオンを吐出する吐出穴１２を備え、前記吐出穴１２の開口方向が送風方向と同じ構成となっている。
【００３９】
上記構成において、静電霧化装置１１が複数配置され、より多くのマイナスイオンを散布することができるため、より強い除菌、脱臭の効果を得ることができることとなる。
【００４０】
また、静電霧化装置１１が吹出口の両端に配置され、マイナスイオンを吹出口７両端から散布することで、風の端領域からマイナスイオンを散布でき、広範囲にマイナスイオンを散布することができ、洗濯物乾燥時の除菌、脱臭や広範囲空間の除菌、脱臭を行うことができることとなる。
【００４１】
（実施の形態３）
図４において、図および図と同様の構成要素については同一の符号を付し、その詳細な説明は省略する。
【００４２】
図４は実施の形態３の送風装置１の静電霧化装置位置での側断面図を示している。図に示すように、風向風速制御装置５を閉じた際、横流ファンの回転と同時に、送風装置１内部にマイナスイオンを散布させる構成となっている。
【００４３】
上記構成において、風向風速制御装置５を閉じ、さらに横流ファン３により送風装置１内部の空気を撹拌しつつ、送風装置１内部にマイナスイオンを散布することで、マイナスイオンが送風装置１内部から放出されること無く、送風装置１内部にマイナスイオンが充満するため、送風装置１内部での菌やカビ等の繁殖を防ぐことができる。
【産業上の利用可能性】
【００４４】
本発明の送風装置は、室内に吊るした大量の洗濯物等に対して乾燥時間を短縮し、乾燥むらを防止する効果を有することから、洗濯乾燥室や、サウナ、サンルーム等にも適用することができる。
【符号の説明】
【００４５】
１    送風装置
２    外枠
３    横流ファン
４    モータ
５    風向風速制御装置
６    吸込口
７    吹出口
８    洗濯物
９    設置面
１０  フィルター
１１  静電霧化装置
１２  吐出穴
１３  円筒部
１４  マイナスイオン放出部
【図１】
0005540725.tif 000002
【図２】
0005540725.tif 000003
【図３】
0005540725.tif 000004
【図４】
0005540725.tif 000005
【図５】
0005540725.tif 000006